(57)【要約】      （修正有）【課題】長さ測定で小単位目盛ラインにおいてもその測定値を見やすくした長さ目盛、及び当該長さ目盛を有する定規、スケールまたはメジャーを提供する。【解決手段】大単位目盛ライン２１の長さ＞中間単位目盛ライン２２の長さ＞小単位目盛ライン２３〜３０の長さで、小単位目盛ラインの長さが１番目の目盛ライン２３から４番目の目盛ライン２６の順に長く、６〜９番目の小単位目盛ライン（２７、２８、２９、３０）の長さは中間単位目盛ラインを対称軸とした場合に１〜４番目の小単位目盛ラインと線対称の関係を有しており、小単位目盛ラインの末端同士をつなぐ直線ラインの太さを中間単位目盛ライン２２を境にして、一方側の直線ライン４２、４３の太さを太くし、他方側の直線ライン４０、４１を前記直線ライン４２、４３の太さより細い。【選択図】図１
2017198597.tif 000002
【特許請求の範囲】
【請求項１】
長さ目盛が表示される定規、スケールまたはメジャーに表示するための長さ目盛であり、定規、スケールまたはメジャーにおける長さを測定するための縁の長手方向に対し、直角方向に当該縁から定規、スケールまたはメジャーの内部方向に向かって形成される略細線状の目盛であって、前記目盛は
長さを表示する所定の基準ピッチでほどこされており、
前記基準ピッチの１０ピッチ単位毎の目盛ラインを大単位目盛ラインと称し、
前記大単位目盛ライン間の中央の目盛ラインを中間単位目盛ラインと称し、
その他の前記基準ピッチで施された目盛ラインを小単位目盛ラインと称した場合、
（ａ）定規、スケールまたはメジャーの内部方向に向う当該目盛ラインの長さが大単位目盛ラインの長さ＞小単位目盛ラインの長さ、且つ、中間単位目盛ラインの長さ＞小単位目盛ラインの長さ
または、
（ｂ）定規、スケールまたはメジャーの内部方向に向う当該目盛ラインの長さが大単位目盛ラインの長さ＞中間単位目盛ラインの長さ＞小単位目盛ラインの長さ、
または、
（ｃ）定規、スケールまたはメジャーの内部方向に向う当該目盛ラインの長さが大単位目盛ラインの長さ＞小単位目盛ラインの長さ＞中間単位目盛ラインの長さ、
のいずれかの長さで表示されており
前記大単位目盛ラインから、一方方向に数えて目盛ラインの数で１番目と２番目の小単位目盛ラインはその長さが異なっており、３番目と４番目の小単位目盛ラインの長さもその長さが異なっており、６番目と７番目の小単位目盛ラインの長さもその長さが異なっており、及び８番目と９番目の小単位目盛ラインの長さもその長さが異なっていて、
且つ、前記１番目と２番目の小単位目盛ライン間、３番目と４番目の小単位目盛ライン間、６番目と７番目の小単位目盛ライン間及び８番目と９番目小単位目盛ライン間それぞれに前記各ラインの定規、スケールまたはメジャー内部方向側の末端同士、または、末端と末端近傍をつなぐ直線及び/または曲線が施されており、
前記大単位目盛ラインの定規、スケールまたはメジャー内部方向側の末端に近接して、大単位の目盛数値が大単位の一方の初めから他方に向かって連続数値で施されている
ことを特徴とする定規、スケールまたはメジャーに表示するための長さ目盛。
【請求項２】
前記（ｂ）定規、スケールまたはメジャー内部方向に向う当該目盛ラインの長さが大単位目盛ラインの長さ＞中間単位目盛ラインの長さ＞小単位目盛ラインの長さ又は前記（ｃ）定規、スケールまたはメジャー内部方向に向う当該目盛ラインの長さが大単位目盛ラインの長さ＞小単位目盛ラインの長さ＞中間単位目盛ラインの長さであって、且つ、前記小単位目盛ラインの長さが前記大単位目盛ラインから一方方向に数えて目盛りラインの数で１番目の小単位目盛ラインの長さ＜２番目の小単位目盛ラインの長さ＜３番目の小単位目盛ラインの長さ＜４番目の小単位目盛ラインの長さの関係を有し、６〜９番目の小単位目盛ラインの長さは中間単位目盛ラインを対称軸とした場合に１〜４番目の小単位目盛ラインと線対称の関係を有しているか、又は中間単位目盛ラインを介して１〜４番目の小単位目盛ラインの関係の繰り返しであり、
前記小単位目盛ラインの定規、スケールまたはメジャー内部方向側の末端同士をつなぐ直線が、前記１番目の小単位目盛ラインの末端と２番目の小単位目盛ラインの末端、前記３番目の小単位目盛ラインの末端と４番目の小単位目盛ラインの末端、前記６番目の小単位目盛ラインの末端と７番目の小単位目盛ラインの末端、前記８番目の小単位目盛ラインの末端と９番目の小単位目盛ラインの末端の末端同士をそれぞれつなぐ直線ラインであり、
且つ、前記小単位目盛ラインの末端同士をつなぐ直線ラインの太さが前記小単位目盛ラインの太さと同等か、前記小単位目盛ラインの太さより太くするか、または、前記小単位目盛ラインの末端同士をつなぐ直線ラインの太さを中間単位目盛ラインを境にして、一方側を前記小単位目盛ラインの太さより太くし、他方側を前記一方側の前記末端同士をつなぐ直線ラインの太さより細くするか、または、前記１番目と２番目の小単位目盛ラインの末端同士をつなぐ直線ラインと３番目と４番目の小単位目盛ラインの末端同士をつなぐ直線ラインのいずれかを他方より太くし、前記６番目と７番目の小単位目盛ラインの末端同士をつなぐ直線ラインと８番目と９番目の小単位目盛ラインの末端同士をつなぐ直線ラインのいずれかを他方より太くしたことを特徴とする請求項１に記載の長さ目盛。
【請求項３】
前記（ｂ）定規、スケールまたはメジャー内部方向に向う当該目盛ラインの長さが大単位目盛ラインの長さ＞中間単位目盛ラインの長さ＞小単位目盛ラインの長さ又は前記（ｃ）定規、スケールまたはメジャー内部方向に向う当該目盛ラインの長さが大単位目盛ラインの長さ＞小単位目盛ラインの長さ＞中間単位目盛ラインの長さであって、且つ、前記小単位目盛ラインの長さが前記大単位目盛ラインから一方方向に数えて目盛りラインの数で１番目の小単位目盛ラインの長さ＞２番目の小単位目盛ラインの長さ＞３番目の小単位目盛ラインの長さ＞４番目の小単位目盛ラインの長さの関係を有し、６〜９番目の小単位目盛ラインの長さは中間単位目盛ラインを対称軸とした場合に１〜４番目の小単位目盛ラインと線対称の関係を有しているか、又は中間単位目盛ラインを介して１〜４番目の小単位目盛ラインの関係の繰り返しであり、
前記小単位目盛ラインの定規、スケールまたはメジャー内部方向側の末端同士をつなぐ直線が、前記１番目の小単位目盛ラインの末端と前記２番目の小単位目盛ラインの末端、前記３番目の小単位目盛ラインの末端と前記４番目の小単位目盛ラインの末端、前記６番目の小単位目盛ラインの末端と前記７番目の小単位目盛ラインの末端、前記８番目の小単位目盛ラインの末端と前記９番目の小単位目盛ラインの末端をそれぞれつなぐ直線ラインであり、
且つ、前記小単位目盛ラインの末端同士をつなぐ直線ラインの太さが前記小単位目盛ラインの太さと同等か、前記小単位目盛ラインの太さより太くするか、または、前記小単位目盛ラインの末端同士をつなぐ直線ラインの太さを中間単位目盛ラインを境にして、一方側を前記小単位目盛ラインの太さより太くし、他方側を前記一方側の前記小単位目盛ラインの末端同士をつなぐ直線ラインの太さより細くするか、または、前記１番目と２番目小単位目盛ラインの末端同士をつなぐ直線ラインと３番目と４番目の小単位目盛ラインの末端同士をつなぐ直線ラインのいずれかを他方より太くし、前記６番目と７番目の小単位目盛ラインの末端同士をつなぐ直線ラインと８番目と９番目の小単位目盛ラインの末端同士をつなぐ直線ラインのいずれかを他方より太くしたことを特徴とする請求項１に記載の長さ目盛。
【請求項４】
前記（ｂ）定規、スケールまたはメジャー内部方向に向う当該目盛ラインの長さが大単位目盛ラインの長さ＞中間単位目盛ラインの長さ＞小単位目盛ラインの長さ又は前記（ｃ）定規、スケールまたはメジャー内部方向に向う当該目盛ラインの長さが大単位目盛ラインの長さ＞小単位目盛ラインの長さ＞中間単位目盛ラインの長さであって、且つ、前記小単位目盛ラインの長さが前記大単位目盛ラインから一方方向に数えて目盛りラインの数で１番目の小単位目盛ラインの長さ＜２番目の小単位目盛ラインの長さ≦３番目の小単位目盛ラインの長さ＜４番目の小単位目盛ラインの長さの関係を有しており、６〜９番目の小単位目盛ラインの長さは（ｄ）中間単位目盛ラインを対称軸とした場合に１〜４番目の小単位目盛ラインと線対称の関係を有しているか又は（ｅ）中間単位目盛ラインを介して１〜４番目の小単位目盛ラインの関係の繰り返しであり、
前記小単位目盛ラインの定規、スケールまたはメジャー内部方向側の末端と末端近傍をつなぐ直線が、前記１番目の小単位目盛ラインの末端より前記２番目の小単位目盛ラインに向かって垂直に形成された直線ラインであり、同様に前記３番目の小単位目盛ラインの末端より前記４番目の小単位目盛ラインに向かって垂直に形成された直線ラインであり、６〜９番目の前記小単位目盛ラインの末端と末端近傍をつなぐ直線は、上記（ｄ）の場合には、中間単位目盛ラインを対称軸とした場合に前記１〜４番目と線対称の関係であり、上記（ｅ）の場合には中間単位目盛ラインを介して１〜４番目の関係の繰り返しであり、
且つ、前記小単位目盛ラインの末端と末端近傍をつなぐ直線ラインの太さが前記小単位目盛ラインの太さと同等か、前記小単位目盛ラインの太さより太くするか、または、前記小単位目盛ラインの末端と末端近傍をつなぐ直線ラインの太さを中間単位目盛ラインを境にして、一方側を目盛ラインの太さより太くし、他方側を前記一方側の前記小単位目盛ラインの末端と末端近傍をつなぐ直線ラインの太さより細くするか、または、前記１番目と２番目の小単位目盛ラインの末端と末端近傍をつなぐ直線と３番目と４番目の小単位目盛ラインの末端と末端近傍をつなぐ直線のいずれかを他方より太くし、前記６番目と７番目の小単位目盛ラインの末端と末端近傍をつなぐ直線と８番目と９番目の小単位目盛ラインの末端と末端近傍をつなぐ直線のいずれかを他方より太くしたことを特徴とする請求項１に記載の長さ目盛。
【請求項５】
前記（ｂ）定規、スケールまたはメジャー内部方向に向う当該目盛ラインの長さが大単位目盛ラインの長さ＞中間単位目盛ラインの長さ＞小単位目盛ラインの長さ又は前記（ｃ）定規、スケールまたはメジャー内部方向に向う当該目盛ラインの長さが大単位目盛ラインの長さ＞小単位目盛ラインの長さ＞中間単位目盛ラインの長さであって、且つ、前記小単位目盛ラインの長さが前記大単位目盛ラインから一方方向に数えて目盛りラインの数で１番目の小単位目盛ラインの長さ＞２番目の小単位目盛ラインの長さ≧３番目の小単位目盛ラインの長さ＞４番目の小単位目盛ラインの長さの関係を有しており、６〜９番目の小単位目盛ライン長さは（ｆ）中間単位目盛ラインを対称軸とした場合に１〜４番目と線対称の関係を有しているか又は（ｇ）中間単位目盛ラインを介して１〜４番目の関係の繰り返しであり、
前記小単位目盛ラインの定規、スケールまたはメジャー内部方向側の末端と末端近傍をつなぐ直線が、前記２番目の小単位目盛ラインの末端より前記１番目の小単位目盛ラインに向かって垂直に形成された直線ラインであり、同様に前記４番目の小単位目盛ラインの末端より前記３番目の小単位目盛ラインに向かって垂直に形成された直線ラインであり、６〜９番目の前記小単位目盛ラインの末端と末端近傍をつなぐ直線は、上記（ｆ）の場合には、中間単位目盛ラインを対称軸とした場合に前記１〜４番目の前記小単位目盛ラインの末端と末端近傍をつなぐ直線ラインと線対称の関係であり、上記（ｇ）の場合には中間単位目盛ラインを介して１〜４番目の前記小単位目盛ラインの末端と末端近傍をつなぐ直線ラインの関係の繰り返しであり、
且つ、前記小単位目盛ラインの末端と末端近傍をつなぐ直線ラインの太さが前記小単位目盛ラインの太さと同等か、前記小単位目盛ラインの太さより太くするか、または、前記小単位目盛ラインの末端と末端近傍をつなぐ直線ラインの太さを中間単位目盛ラインを境にして、一方側を小単位目盛ラインの太さより太くし、他方側を前記一方側の末端と末端近傍をつなぐ直線ラインの太さより細くするか、または、前記１番目と２番目の小単位目盛ラインの末端と末端近傍をつなぐ直線と３番目と４番目の小単位目盛ラインの末端と末端近傍をつなぐ直線ラインのいずれかを他方より太くし、前記６番目と７番目の小単位目盛ラインの末端と末端近傍をつなぐ直線ラインと８番目と９番目の小単位目盛ラインの末端と末端近傍をつなぐ直線ラインのいずれかを他方より太くしたことを特徴とする請求項１に記載の長さ目盛。
【請求項６】
請求項５の上記（ｆ）の態様において、前記２番目、４番目、６番目及び８番目の小単位目盛ラインの定規、スケールまたはメジャー内部方向側の末端に近接して、それぞれ、２、４、６、８の数字が表示されている請求項５に記載の長さ目盛。
【請求項７】
前記（ｂ）定規、スケールまたはメジャー内部方向に向う当該目盛ラインの長さが大単位目盛ラインの長さ＞中間単位目盛ラインの長さ＞小単位目盛ラインの長さ又は前記（ｃ）定規、スケールまたはメジャー内部方向に向う当該目盛ラインの長さが大単位目盛ラインの長さ＞小単位目盛ラインの長さ＞中間単位目盛ラインの長さであって、且つ、前記小単位目盛ラインの長さが前記大単位目盛ラインから一方方向に数えて目盛りラインの数で２番目の小単位目盛ラインの長さ＜１番目の小単位目盛ラインの長さ≦４番目の小単位目盛ラインの長さ＜３番目の小単位目盛ラインの長さの関係を有しており、６〜９番目の小単位目盛ラインの長さは（ｈ）中間単位目盛ラインを対称軸とした場合に１〜４番目と線対称の関係を有しているか、又は（ｉ）中間単位目盛ラインを介して１〜４番目の関係の繰り返しであり
前記小単位目盛ラインの定規、スケールまたはメジャー内部方向側の末端と末端近傍をつなぐ直線が、前記２番目の小単位目盛ラインの末端より前記１番目の小単位目盛ラインに向かって垂直に形成されたラインであり、同様に前記４番目の小単位目盛ラインの末端より前記３番目の小単位目盛ラインに向かって垂直に形成されたラインであり、６〜９番目の前記小単位目盛ラインの定規、スケールまたはメジャー内部方向側の末端と末端近傍をつなぐ直線は、上記（ｈ）の場合には中間単位目盛ラインを対称軸とした場合に前記１〜４番目と線対称の関係であり、上記（ｉ）の場合には中間単位目盛ラインを介して上記１〜４番目の関係の繰り返しであり、
且つ、前記小単位目盛ラインの末端と末端近傍をつなぐ直線ラインの太さが前記小単位目盛ラインの太さと同等か、前記小単位目盛ラインの太さより太くするか、または、前記小単位目盛ラインの末端と末端近傍をつなぐ直線ラインの太さを、中間単位目盛ラインを境にして、一方側を前記小単位目盛ラインの太さより太くし、他方側を前記一方側の前記小単位目盛ラインの末端と末端近傍をつなぐ直線ラインの太さより細くするか、または、前記１番目と２番目をつなぐ直線ラインと３番目と４番目をつなぐ直線ラインのいずれかを他方より太くし、前記６番目と７番目をつなぐ直線ラインと８番目と９番目をつなぐ直線ラインのいずれかを他方より太くしたことを特徴とする請求項１に記載の長さ目盛。
【請求項８】
請求項７の上記（ｈ）の態様において、前記２番目、４番目、６番目及び８番目の小単位目盛ラインの定規、スケールまたはメジャー内部方向側の末端に近接して、それぞれ、２、４、６、８の数字が表示されている請求項７に記載の長さ目盛。
【請求項９】
前記２番目、４番目、６番目、８番目の小単位目盛ライン又は１番目、３番目、７番目、９番目の小単位目盛ラインの定規、スケールまたはメジャー内部方向側の末端に近接して、ドットが付されている請求項１〜５、７のいずれか１項に記載の長さ目盛。
【請求項１０】
中間単位目盛ラインの定規、スケールまたはメジャー内部方向側の末端または中間単位目盛ライン上に、中間単位目盛ラインより太めの略点状のマークがほどこされている請求項１〜９のいずれか１項に記載の長さ目盛。
【請求項１１】
請求項１〜１０のいずれか１項に記載の長さ目盛を有することを特徴とする定規、スケールまたはメジャー。
【発明の詳細な説明】
【技術分野】
【０００１】
本発明は、定規、スケールまたはメジャーに表示するための長さ目盛及び当該長さ目盛を有する定規、スケールまたはメジャーに関する。
【背景技術】
【０００２】
定規、スケールまたはメジャー（以下、これらを「定規等」と略称することがある）に表示するための長さ目盛は、通常、定規等における長さを測定するための縁の長手方向に対し、直角方向に当該縁から定規等の内部方向に向かって形成される略細線状の目盛が長さを表示する所定の基準ピッチでほどこされているものが一般的であり、基準ピッチとしてメートル法の１ｍｍ単位を例にとって説明すると、基準ピッチの１０ピッチ単位毎の目盛ライン（本発明でいう大単位目盛ラインに相当）は通常ｃｍ単位で、通常他の目盛ラインより定規等の内部方向に向かって形成される目盛ラインの長さが、長く表示されており、ｍｍ単位とｃｍ単位が判読しやすくされており、且つ、前記大単位目盛ライン間の中央の目盛ライン、すなわち上記メートル法の単位を例にとって説明するなら５ｍｍの目盛ライン（本発明でいう中間単位目盛ラインに相当）も、前記大単位目盛ラインと中間単位目盛ラインを除くその他の目盛ライン（本発明でいう小単位目盛ラインに相当）よりも、通常、定規等の内部方向に向かって形成される目盛ラインの長さ（以下、これを「目盛ラインの長さ」と略称することがある）が、長く表示されているものが一般的であり、測定する対象物の長さが、５ｍｍの目盛ライン（本発明でいう中間単位目盛ラインに相当）やｃｍを表示する目盛ライン（本発明でいう大単位目盛ラインに相当）から、どれだけ離れているかで、１〜４ｍｍや６〜９ｍｍの細かい単位の長さを読み取りやすく工夫されている。
【０００３】
従って、１ｍｍ又は９ｍｍは大単位目盛ラインの隣に位置するので比較的読み取りやすく、４ｍｍや６ｍｍも中間単位目盛ラインの隣に位置するので比較的読み取りやすい。ところが、１〜４ｍｍ、及び６〜９ｍｍのそれぞれの小単位目盛ライン間で目盛ラインの長さが区別されていないのが一般的であり、ある特定の大単位目盛ラインから一方方向に向かって数えて２番目と３番目の小単位目盛ライン（上記メートル法で言えばｃｍ単位を表示する目盛ラインから２ｍｍや３ｍｍ目を表示する目盛ライン）や７番目と８番目の小単位目盛ライン（上記メートル法で言えばｃｍ単位を表示する前記目盛ラインから７ｍｍや８ｍｍ目を表示する目盛ライン）は、２ｍｍなのか３ｍｍなのか、あるいはまた、７ｍｍなのか８ｍｍなのか、見誤りやすいし、急いで作業をしているときや、老眼の人、乱視の人などにとって見誤りが生じやすいという問題がある。
【０００４】
下記意匠登録第５４５５９８号公報には、定規等の内部方向に向う当該目盛ラインの長さが大単位目盛ラインの長さ＞中間単位目盛ラインの長さ＞小単位目盛ラインの長さであり、ある１つの大単位目盛ラインから中間単位目盛ラインに近くになるに従いその中間にある小単位目盛ラインの長さが次第に長くなり、大単位目盛ラインから中間単位目盛ライン方向に向かって３番目と４番目小単位目盛ラインの定規等の内部方向に向う当該目盛ラインの末端近傍が曲げられており、当該中間単位目盛ラインから次の大単位目盛ラインの間に存在する小単位目盛ラインの形状も、当該中間単位目盛ラインを対称軸として線対称に形成されている定規等が提案されている。
【先行技術文献】
【特許文献】
【０００５】
【特許文献１】意匠登録第５４５５９８号公報
【発明の概要】
【発明が解決しようとする課題】
【０００６】
上記特許文献１の定規は、大単位目盛ラインと中間単位目盛ライン間の目盛単位の形や大きさが異なっているが、結局、ある特定の大単位目盛ラインから一方方向に向かって数えて２番目と３番目の小単位目盛ライン（上記メートル法で言えばｃｍ単位を表示する目盛ラインから２ｍｍや３ｍｍ目を表示する目盛ライン）や７番目と８番目の小単位目盛ライン（上記メートル法で言えばｃｍ単位を表示する前記目盛ラインから７ｍｍや８ｍｍ目を表示する目盛ライン）は、２ｍｍなのか３ｍｍなのか、あるいはまた、７ｍｍなのか８ｍｍなのか、見誤りやすいし、急いで作業をしているときや、老眼の人、乱視の人などにとって見誤りが生じやすいという問題がほとんど解決されていない。
【０００７】
本発明は、このような問題を解決し、小単位目盛ラインの見誤りを少なくし、特にある特定の大単位目盛ラインから一方方向に向かって数えて２番目と３番目の小単位目盛ラインや７番目と８番目の小単位目盛ラインの見誤りやすさを軽減し、長さの測定値を見やすくした定規、スケールまたはメジャーに表示するための長さ目盛、及び当該長さ目盛を有する定規、スケールまたはメジャーを提供するものである。
【課題を解決するための手段】
【０００８】
前記課題を解決するため、本発明の定規等に表示するための長さ目盛ならびに当該長さ目盛を有する定規等は以下の構成を有する。
【０００９】
（１）長さ目盛が表示される定規、スケールまたはメジャーに表示するための長さ目盛であり、定規、スケールまたはメジャーにおける長さを測定するための縁の長手方向に対し、直角方向に当該縁から定規、スケールまたはメジャーの内部方向に向かって形成される略細線状の目盛であって、前記目盛は
長さを表示する所定の基準ピッチでほどこされており、
前記基準ピッチの１０ピッチ単位毎の目盛ラインを大単位目盛ラインと称し、
前記大単位目盛ライン間の中央の目盛ラインを中間単位目盛ラインと称し、
その他の前記基準ピッチで施された目盛ラインを小単位目盛ラインと称した場合、
（ａ）定規、スケールまたはメジャーの内部方向に向う当該目盛ラインの長さが大単位目盛ラインの長さ＞小単位目盛ラインの長さ、且つ中間単位目盛ラインの長さ＞小単位目盛ラインの長さ
または、
（ｂ）定規、スケールまたはメジャーの内部方向に向う当該目盛ラインの長さが大単位目盛ラインの長さ＞中間単位目盛ラインの長さ＞小単位目盛ラインの長さ、
または、
（ｃ）定規、スケールまたはメジャーの内部方向に向う当該目盛ラインの長さが大単位目盛ラインの長さ＞小単位目盛ラインの長さ＞中間単位目盛ラインの長さ、
のいずれかの長さで表示されており、
前記大単位目盛ラインから、一方方向に数えて目盛ラインの数で１番目と２番目の小単位目盛ラインはその長さが異なっており、３番目と４番目の小単位目盛ラインの長さもその長さが異なっており、６番目と７番目の小単位目盛ラインの長さもその長さが異なっており、及び８番目と９番目の小単位目盛ラインの長さもその長さが異なっていて、
且つ、前記１番目と２番目の小単位目盛ライン間、３番目と４番目の小単位目盛ライン間、６番目と７番目の小単位目盛ライン間及び８番目と９番目の小単位目盛ライン間それぞれに前記各ラインの定規、スケールまたはメジャー内部方向側の末端同士、または、末端と末端近傍をつなぐ直線及び/または曲線が施されており、
前記大単位目盛ラインの定規、スケールまたはメジャー内部方向側の末端に近接して、大単位の目盛数値が大単位の一方の初めから他方に向かって連続数値で施されている
ことを特徴とする定規、スケールまたはメジャーに表示するための長さ目盛。
【００１０】
（２）前記（１）項に記載の長さ目盛においては、前記（ｂ）定規、スケールまたはメジャー内部方向に向う当該目盛ラインの長さが大単位目盛ラインの長さ＞中間単位目盛ラインの長さ＞小単位目盛ラインの長さ又は前記（ｃ）定規、スケールまたはメジャー内部方向に向う当該目盛ラインの長さが大単位目盛ラインの長さ＞小単位目盛ラインの長さ＞中間単位目盛ラインの長さであって、且つ、前記小単位目盛ラインの長さが前記大単位目盛ラインから一方方向に数えて目盛りラインの数で１番目の小単位目盛ラインの長さ＜２番目の小単位目盛ラインの長さ＜３番目の小単位目盛ラインの長さ＜４番目の小単位目盛ラインの長さの関係を有し、６〜９番目の小単位目盛ラインの長さは中間単位目盛ラインを対称軸とした場合に１〜４番目の小単位目盛ラインと線対称の関係を有しているか、又は中間単位目盛ラインを介して１〜４番目の小単位目盛ラインの関係の繰り返しであり、
前記小単位目盛ラインの定規、スケールまたはメジャー内部方向側の末端同士をつなぐ直線が、前記１番目の小単位目盛ラインの末端と２番目の小単位目盛ラインの末端、前記３番目の小単位目盛ラインの末端と４番目の小単位目盛ラインの末端、前記６番目の小単位目盛ラインの末端と７番目の小単位目盛ラインの末端、前記８番目の小単位目盛ラインの末端と９番目の小単位目盛ラインの末端の末端同士をそれぞれつなぐ直線ラインであり、
且つ、前記小単位目盛ラインの末端同士をつなぐ直線ラインの太さが前記小単位目盛ラインの太さと同等か、前記小単位目盛ラインの太さより太くするか、または、前記小単位目盛ラインの末端同士をつなぐ直線ラインの太さを中間単位目盛ラインを境にして、一方側を前記小単位目盛ラインの太さより太くし、他方側を前記一方側の前記末端同士をつなぐ直線ラインの太さより細くするか、または、前記１番目と２番目の小単位目盛ラインの末端同士をつなぐ直線ラインと３番目と４番目の小単位目盛ラインの末端同士をつなぐ直線ラインのいずれかを他方より太くし、前記６番目と７番目の小単位目盛ラインの末端同士をつなぐ直線ラインと８番目と９番目の小単位目盛ラインの末端同士をつなぐ直線ラインのいずれかを他方より太くした長さ目盛であることが好ましい。
【００１１】
（３）前記（１）項に記載の長さ目盛においては、前記（ｂ）定規、スケールまたはメジャー内部方向に向う当該目盛ラインの長さが大単位目盛ラインの長さ＞中間単位目盛ラインの長さ＞小単位目盛ラインの長さ又は前記（ｃ）定規、スケールまたはメジャー内部方向に向う当該目盛ラインの長さが大単位目盛ラインの長さ＞小単位目盛ラインの長さ＞中間単位目盛ラインの長さであって、且つ、前記小単位目盛ラインの長さが前記大単位目盛ラインから一方方向に数えて目盛りラインの数で１番目の小単位目盛ラインの長さ＞２番目の小単位目盛ラインの長さ＞３番目の小単位目盛ラインの長さ＞４番目の小単位目盛ラインの長さの関係を有し、６〜９番目の小単位目盛ラインの長さは中間単位目盛ラインを対称軸とした場合に１〜４番目の小単位目盛ラインと線対称の関係を有しているか、又は中間単位目盛ラインを介して１〜４番目の小単位目盛ラインの関係の繰り返しであり、
前記小単位目盛ラインの定規、スケールまたはメジャー内部方向側の末端同士をつなぐ直線が、前記１番目の小単位目盛ラインの末端と前記２番目の小単位目盛ラインの末端、前記３番目の小単位目盛ラインの末端と前記４番目の小単位目盛ラインの末端、前記６番目の小単位目盛ラインの末端と前記７番目の小単位目盛ラインの末端、前記８番目の小単位目盛ラインの末端と前記９番目の小単位目盛ラインの末端をそれぞれつなぐ直線ラインであり、
且つ、前記小単位目盛ラインの末端同士をつなぐ直線ラインの太さが前記小単位目盛ラインの太さと同等か、前記小単位目盛ラインの太さより太くするか、または、前記小単位目盛ラインの末端同士をつなぐ直線ラインの太さを中間単位目盛ラインを境にして、一方側を前記小単位目盛ラインの太さより太くし、他方側を前記一方側の前記小単位目盛ラインの末端同士をつなぐ直線ラインの太さより細くするか、または、前記１番目と２番目小単位目盛ラインの末端同士をつなぐ直線ラインと３番目と４番目の小単位目盛ラインの末端同士をつなぐ直線ラインのいずれかを他方より太くし、前記６番目と７番目の小単位目盛ラインの末端同士をつなぐ直線ラインと８番目と９番目の小単位目盛ラインの末端同士をつなぐ直線ラインのいずれかを他方より太くした長さ目盛であることが好ましい。
【００１２】
（４）前記（１）項に記載の長さ目盛においては、前記（ｂ）定規、スケールまたはメジャー内部方向に向う当該目盛ラインの長さが大単位目盛ラインの長さ＞中間単位目盛ラインの長さ＞小単位目盛ラインの長さ又は前記（ｃ）定規、スケールまたはメジャー内部方向に向う当該目盛ラインの長さが大単位目盛ラインの長さ＞小単位目盛ラインの長さ＞中間単位目盛ラインの長さであって、且つ、前記小単位目盛ラインの長さが前記大単位目盛ラインから一方方向に数えて目盛りラインの数で１番目の小単位目盛ラインの長さ＜２番目の小単位目盛ラインの長さ≦３番目の小単位目盛ラインの長さ＜４番目の小単位目盛ラインの長さの関係を有しており、６〜９番目の小単位目盛ラインの長さは（ｄ）中間単位目盛ラインを対称軸とした場合に１〜４番目の小単位目盛ラインと線対称の関係を有しているか又は（ｅ）中間単位目盛ラインを介して１〜４番目の小単位目盛ラインの関係の繰り返しであり、
前記小単位目盛ラインの定規、スケールまたはメジャー内部方向側の末端と末端近傍をつなぐ直線が、前記１番目の小単位目盛ラインの末端より前記２番目の小単位目盛ラインに向かって垂直に形成された直線ラインであり、同様に前記３番目の小単位目盛ラインの末端より前記４番目の小単位目盛ラインに向かって垂直に形成された直線ラインであり、６〜９番目の前記小単位目盛ラインの末端と末端近傍をつなぐ直線は、上記（ｄ）の場合には、中間単位目盛ラインを対称軸とした場合に前記１〜４番目と線対称の関係であり、上記（ｅ）の場合には中間単位目盛ラインを介して１〜４番目の関係の繰り返しであり、
且つ、前記小単位目盛ラインの末端と末端近傍をつなぐ直線ラインの太さが前記小単位目盛ラインの太さと同等か、前記小単位目盛ラインの太さより太くするか、または、前記小単位目盛ラインの末端と末端近傍をつなぐ直線ラインの太さを中間単位目盛ラインを境にして、一方側を目盛ラインの太さより太くし、他方側を前記一方側の前記小単位目盛ラインの末端と末端近傍をつなぐ直線ラインの太さより細くするか、または、前記１番目と２番目の小単位目盛ラインの末端と末端近傍をつなぐ直線と３番目と４番目の小単位目盛ラインの末端と末端近傍をつなぐ直線のいずれかを他方より太くし、前記６番目と７番目の小単位目盛ラインの末端と末端近傍をつなぐ直線と８番目と９番目の小単位目盛ラインの末端と末端近傍をつなぐ直線のいずれかを他方より太くした長さ目盛であることが好ましい。
【００１３】
（５）前記（１）項に記載の長さ目盛においては、前記（ｂ）定規、スケールまたはメジャー内部方向に向う当該目盛ラインの長さが大単位目盛ラインの長さ＞中間単位目盛ラインの長さ＞小単位目盛ラインの長さ又は前記（ｃ）定規、スケールまたはメジャー内部方向に向う当該目盛ラインの長さが大単位目盛ラインの長さ＞小単位目盛ラインの長さ＞中間単位目盛ラインの長さであって、且つ、前記小単位目盛ラインの長さが前記大単位目盛ラインから一方方向に数えて目盛りラインの数で１番目の小単位目盛ラインの長さ＞２番目の小単位目盛ラインの長さ≧３番目の小単位目盛ラインの長さ＞４番目の小単位目盛ラインの長さの関係を有しており、６〜９番目の小単位目盛ライン長さは（ｆ）中間単位目盛ラインを対称軸とした場合に１〜４番目と線対称の関係を有しているか又は（ｇ）中間単位目盛ラインを介して１〜４番目の関係の繰り返しであり、
前記小単位目盛ラインの定規、スケールまたはメジャー内部方向側の末端と末端近傍をつなぐ直線が、前記２番目の小単位目盛ラインの末端より前記１番目の小単位目盛ラインに向かって垂直に形成された直線ラインであり、同様に前記４番目の小単位目盛ラインの末端より前記３番目の小単位目盛ラインに向かって垂直に形成された直線ラインであり、６〜９番目の前記小単位目盛ラインの末端と末端近傍をつなぐ直線は、上記（ｆ）の場合には、中間単位目盛ラインを対称軸とした場合に前記１〜４番目の前記小単位目盛ラインの末端と末端近傍をつなぐ直線ラインと線対称の関係であり、上記（ｇ）の場合には中間単位目盛ラインを介して１〜４番目の前記小単位目盛ラインの末端と末端近傍をつなぐ直線ラインの関係の繰り返しであり、
且つ、前記小単位目盛ラインの末端と末端近傍をつなぐ直線ラインの太さが前記小単位目盛ラインの太さと同等か、前記小単位目盛ラインの太さより太くするか、または、前記小単位目盛ラインの末端と末端近傍をつなぐ直線ラインの太さを中間単位目盛ラインを境にして、一方側を小単位目盛ラインの太さより太くし、他方側を前記一方側の末端と末端近傍をつなぐ直線ラインの太さより細くするか、または、前記１番目と２番目の小単位目盛ラインの末端と末端近傍をつなぐ直線と３番目と４番目の小単位目盛ラインの末端と末端近傍をつなぐ直線ラインのいずれかを他方より太くし、前記６番目と７番目の小単位目盛ラインの末端と末端近傍をつなぐ直線ラインと８番目と９番目の小単位目盛ラインの末端と末端近傍をつなぐ直線ラインのいずれかを他方より太くした長さ目盛であることが好ましい。
【００１４】
（６）前記（５）項に記載の長さ目盛においては、前記（５）項の上記（ｆ）の態様において、前記２番目、４番目、６番目及び８番目の小単位目盛ラインの定規、スケールまたはメジャー内部方向側の末端に近接して、それぞれ、２、４、６、８の数字が表示されている長さ目盛であることが好ましい。
【００１５】
（７）前記（１）項に記載の長さ目盛においては、前記（ｂ）定規、スケールまたはメジャー内部方向に向う当該目盛ラインの長さが大単位目盛ラインの長さ＞中間単位目盛ラインの長さ＞小単位目盛ラインの長さ又は前記（ｃ）定規、スケールまたはメジャー内部方向に向う当該目盛ラインの長さが大単位目盛ラインの長さ＞小単位目盛ラインの長さ＞中間単位目盛ラインの長さであって、且つ、前記小単位目盛ラインの長さが前記大単位目盛ラインから一方方向に数えて目盛りラインの数で２番目の小単位目盛ラインの長さ＜１番目の小単位目盛ラインの長さ≦４番目の小単位目盛ラインの長さ＜３番目の小単位目盛ラインの長さの関係を有しており、６〜９番目の小単位目盛ラインの長さは（ｈ）中間単位目盛ラインを対称軸とした場合に１〜４番目と線対称の関係を有しているか、又は（ｉ）中間単位目盛ラインを介して１〜４番目の関係の繰り返しであり、
前記小単位目盛ラインの定規、スケールまたはメジャー内部方向側の末端と末端近傍をつなぐ直線が、前記２番目の小単位目盛ラインの末端より前記１番目の小単位目盛ラインに向かって垂直に形成されたラインであり、同様に前記４番目の小単位目盛ラインの末端より前記３番目の小単位目盛ラインに向かって垂直に形成されたラインであり、６〜９番目の前記小単位目盛ラインの定規、スケールまたはメジャー内部方向側の末端と末端近傍をつなぐ直線は、上記（ｈ）の場合には中間単位目盛ラインを対称軸とした場合に前記１〜４番目と線対称の関係であり、上記（ｉ）の場合には中間単位目盛ラインを介して上記１〜４番目の関係の繰り返しであり、
且つ、前記小単位目盛ラインの末端と末端近傍をつなぐ直線ラインの太さが前記小単位目盛ラインの太さと同等か、前記小単位目盛ラインの太さより太くするか、または、前記小単位目盛ラインの末端と末端近傍をつなぐ直線ラインの太さを、中間単位目盛ラインを境にして、一方側を前記小単位目盛ラインの太さより太くし、他方側を前記一方側の前記小単位目盛ラインの末端と末端近傍をつなぐ直線ラインの太さより細くするか、または、前記１番目と２番目をつなぐ直線ラインと３番目と４番目をつなぐ直線ラインのいずれかを他方より太くし、前記６番目と７番目をつなぐ直線ラインと８番目と９番目をつなぐ直線ラインのいずれかを他方より太くした長さ目盛であることが好ましい。
【００１６】
（８）前記（７）項に記載の長さ目盛においては、前記（７）項の上記（ｈ）の態様において、前記２番目、４番目、６番目及び８番目の小単位目盛ラインの定規、スケールまたはメジャー内部方向側の末端に近接して、それぞれ、２、４、６、８の数字が表示されている長さ目盛であることが好ましい。
【００１７】
（９） 前記（１）〜（５）及び（７）項のいずれか１項に記載の長さ目盛においては、前記２番目、４番目、６番目、８番目の小単位目盛ライン又は１番目、３番目、７番目、９番目の小単位目盛ラインの定規、スケールまたはメジャー内部方向側の末端に近接して、ドットが付されている長さ目盛であることが好ましい。
【００１８】
（１０）前記（１）〜（９）項のいずれか１項に記載の長さ目盛においては、中間単位目盛ラインの定規、スケールまたはメジャー内部方向側の末端または中間単位目盛ライン上に、中間単位目盛ラインより太めの略点状のマークがほどこされている長さ目盛であることが好ましい。
【００１９】
（１１）本発明の、定規、スケールまたはメジャーは、前記（１）〜（１０）項のいずれか１項に記載の長さ目盛を有することを特徴とする。
【発明の効果】
【００２０】
〔１〕上記、本発明の定規等に表示するための長さ目盛によれば、大単位目盛ライン及び中間単位目盛ラインと、小単位目盛ラインとの目盛ラインの長さが異なり、しかも前記大単位目盛ラインの定規等の内部方向側の末端に近接して、大単位の目盛数値が大単位の一方の初めから他方に向かって連続数値で施されているのみならず、更に、前記大単位目盛ラインから、一方方向に数えて目盛ラインの数で１番目と２番目の小単位目盛ラインはその長さが異なっており、３番目と４番目の小単位目盛ラインの長さもその長さが異なっており、６番目と７番目の小単位目盛ラインの長さもその長さが異なっており、及び８番目と９番目の小単位目盛ラインの長さもその長さが異なっていて、しかも前記１番目と２番目の小単位目盛ライン間、３番目と４番目の小単位目盛ライン間、６番目と７番目の小単位目盛ライン間及び８番目と９番目小単位目盛ライン間それぞれに前記各ラインの定規、スケールまたはメジャー内部方向側の末端同士、または、末端と末端近傍をつなぐ直線及び/または曲線が施されているので、隣り合わせの２つずつの小単位目盛ラインの末端同士、または、末端と末端近傍がつながれており、末端同士又は末端と末端近傍がつながれていることによりつながれた２つの小単位目盛ラインがブロックとなっているので、長さを読み取る場合に、読み取る測定対象物の長さが前記目盛の当該ブロックのうち、右側の目盛ラインに該当するのか左側の目盛ラインに該当するのか読み取りやすく、しかも更に、ある特定の大単位目盛ラインから一方方向に向かって数えて２番目の小単位目盛ラインか３番目の小単位目盛ライン（上記メートル法で言えばｃｍ単位を表示する目盛ラインから２ｍｍか３ｍｍ目を表示する目盛ライン）や７番目と８番目の小単位目盛ライン（上記メートル法で言えばｃｍ単位を表示する前記目盛ラインから７ｍｍや８ｍｍ目を表示する目盛ライン）は、２ｍｍなのか３ｍｍなのか、あるいはまた、７ｍｍなのか８ｍｍなのか、通常、見誤りやすいが、本発明の長さ目盛においては、１番目と２番目の小単位目盛ラインの末端同士又は末端と末端近傍がつながれて１つのブロックを形成しており３番目と４番目の小単位目盛ラインの末端同士又は末端と末端近傍がつながれて１つのブロックを形成しており、２番目の小単位目盛ラインと３番目の小単位目盛ラインは、別のブロックに所属しているので、特に見誤りやすい２番目の小単位目盛ラインと３番目の小単位目盛ラインの区別もより明確に見誤りにくくできる。７番目と８番目の小単位目盛ラインに関しても同様の理由でそれらの小単位目盛ラインの区別もより明確に見誤りにくくできる。
【００２１】
〔２〕前述の（２）項に記載の本発明の好ましい態様によれば、上記発明の効果の〔１〕項で述べたと、ほぼ同様の理由で、長さ測定の場合に、小単位目盛ラインまで見誤りにくく明確に読みとりやすくできる。しかも、小単位目盛ライン間の定規等の内部方向側の末端同士を結ぶ直線ラインが、定規等の長さを測定するための縁を下にした状態でマクロ的に見た感じが中間単位目盛ラインを境にして山状、ないしは２つの鋸歯状にきれいに見え、より小単位目盛ラインまで見誤りにくく明確にでき好ましい。更に小単位目盛ラインの末端同士をつなぐ前記直線ラインの太さを変えるか、太くした場合には、このラインで結ばれたブロックがより一層明確になり、小単位目盛ラインまでより見誤りにくく明確に読みとりやすくでき好ましい。
【００２２】
〔３〕前述の（３）項に記載の本発明の好ましい態様によれば、上記発明の効果の〔１〕項で述べたと、ほぼ同様の理由で、長さ測定の場合に、小単位目盛ラインまで見誤りにくく明確に長さが読み取りやすくできる。しかも、小単位目盛ライン間の定規等の内部方向側の末端同士を結ぶ直線ラインが、定規等の長さを測定するための縁を下にした状態でマクロ的に見た感じが中間単位目盛ラインを境にしてＶ字状、ないしは２つの鋸歯状にきれいに見え、より小単位目盛ラインまで見誤りにくく明確にでき好ましい。更に小単位目盛ラインの末端同士をつなぐ前記直線ラインの太さを変えるか、太くした場合には、このラインで結ばれたブロックがより一層明確になり、小単位目盛ラインまでより見誤りにくく明確に読みとりやすくでき好ましい。
【００２３】
〔４〕前述の（４）項に記載の本発明の好ましい態様によれば、上記発明の効果の〔１〕項で述べたと、ほぼ同様の理由で、長さ測定の場合に、小単位目盛ラインまで見誤りにくく明確に長さが読み取りやすくできる。しかも、小単位目盛ラインの定規等の内部方向側の末端と隣接する小単位目盛ライン末端近傍を結ぶ直線ラインで結ばれたブロックを構成するいずれか長い方の小単位目盛ラインの定規等の内部方向側の末端が末端と末端近傍をつなぐ直線よりも定規等の内部方向側にはみ出しているので１つのブロックのうち、長さ測定対象物の長さが、前記１つのブロックのうちどちらの小単位目盛ラインの方に係る長さであるか、より読み取りやすくなる。しかも、２本の小単位目盛ラインからなるブロックを構成するいずれか少なくとも一方の小単位目盛ラインの定規等の内部方向側の長さが、隣接するブロックを構成するいずれか少なくとも一方の小単位目盛ラインの定規等の内部方向側の長さと異なるため、隣接するブロック同士の区別もしやすく、長さ目盛の読み取りをより読み取りやすくできる。更に小単位目盛ラインの末端と末端近傍をつなぐ前記直線ラインの太さを変えるか、太くした場合には、このラインで結ばれたブロックがより一層明確になり、小単位目盛ラインまでより見誤りにくく明確に読みとりやすくでき好ましい。
【００２４】
〔５〕前述の（５）項に記載の本発明の好ましい態様によれば、上記発明の効果の〔４〕項で述べたと、ほぼ同様の理由で、ほぼ同様の効果が達成できる。
【００２５】
〔６〕前述の（６）項に記載の本発明の好ましい態様によれば、前記２番目、４番目、６番目及び８番目の小単位目盛ラインの定規等の内部方向側の末端に近接して、それぞれ、２、４、６、８の数字が表示されているので、小単位目盛ラインを読み取るのに一層便利である。しかも定規等の内部方向側の末端と末端近傍を直線でつながれた各ブロックにおいて数字が表示されていない小単位目盛ラインの末端が、数字が表示されている方の小単位目盛ラインの定規等の内部方向側の末端よりも定規等の内部方向側にはみ出しているので、各ブロックを構成する２つの小単位目盛ラインのどちらに測定対象の長さが一致するのか、より一層容易に読み取りやすくできる。
【００２６】
〔７〕前述の（７）項に記載の本発明の好ましい態様によれば、上記発明の効果の〔４〕項で述べたと、ほぼ同様の理由で、ほぼ同様の効果が達成できる。
【００２７】
〔８〕前述の（８）項に記載の本発明の好ましい態様によれば、上記発明の効果の〔６〕項で述べたと、ほぼ同様の理由で、ほぼ同様の効果が達成できる。
【００２８】
〔９〕前述の（９）項に記載の本発明の好ましい態様によれば、定規等の内部方向側の末端と末端近傍を直線でつながれた各ブロックにおいて各ブロックを構成するそれぞれ一方の小単位目盛ラインの定規等の内部方向側の末端に近接して、ドットが付されているので、小単位目盛ラインを見誤ることが極めて少なくでき、好ましい。
【００２９】
〔１０〕前述の（１０）項に記載の本発明の好ましい態様によれば、中間単位目盛ラインの定規等の内部方向側の末端または中間単位目盛ライン上に、中間単位目盛ラインより太めの略点状のマークがほどこされているので、中間単位目盛ラインが極めて認識しやすくなり、その結果、中間単位目盛ラインから少し離れた小単位目盛ラインを見誤ることが一層少なくでき、好ましい。
【００３０】
〔１１〕本発明の、定規、スケールまたはメジャーは、前述の（１）〜（１０）項のいずれか１項に記載の長さ目盛を有するので、前述の（１）〜（１０）項の態様に応じて、上述した対応する〔１〕〜〔１０〕項に記載の効果を発揮できる定規、スケールまたはメジャーを提供できる。
【図面の簡単な説明】
【００３１】
【図１】本発明の定規とそれに付した長さ目盛を示す平面図。図１（ａ）は、本発明の第１の実施形態の長さ目盛を付した定規の平面図、図１（ｂ）は、その長さ目盛の部分拡大図。
【図２】本発明の第２の実施形態の長さ目盛の部分拡大図。
【図３】本発明の第３の実施形態の長さ目盛の部分拡大図。
【図４】本発明の第４の実施形態の長さ目盛の部分拡大図。
【図５】本発明の第５の実施形態の長さ目盛の部分拡大図。
【図６】本発明の第６の実施形態の長さ目盛の部分拡大図。
【図７】本発明の第７の実施形態の長さ目盛の部分拡大図。
【図８】本発明の第８の実施形態の長さ目盛の部分拡大図。
【図９】本発明の第９の実施形態の長さ目盛の部分拡大図。
【図１０】本発明の第１０の実施形態の長さ目盛の部分拡大図。
【図１１】本発明の第１１の実施形態の長さ目盛の部分拡大図。
【図１２】本発明の第１２の実施形態の長さ目盛の部分拡大図。
【図１３】本発明の第１３の実施形態の長さ目盛の部分拡大図。
【図１４】本発明の第１４の実施形態の長さ目盛の部分拡大図。
【図１５】図１５（ａ）が本発明の第１５の実施形態の長さ目盛の部分拡大図。図１５（ｂ）は、図１５（ａ）のｃ部分の更なる拡大図。
【発明を実施するための形態】
【００３２】
以下、本発明の理解を容易にするため、添付図面を参照して、本発明の代表的な少数の実施形態例について説明するが、本発明はこれらの実施形態例にのみ限定されるものではない。そして以下の実施形態例は定規に長さ目盛を付した実施形態例を取り上げて説明しているが、スケール、メジャー、その他の長さ目盛が付され長さの測定が可能な測定具に関しても同様に適用されるものである。また、長さ目盛はメートル法の場合を代表例として説明しているが、尺貫法、ヤードポンド法、その他の長さの単位に適用した長さ目盛や定規等も含むものである。
【００３３】
また、本発明において「長さの測定」とは、すでに存在する物体やすでに描かれた図の大きさや線の長さを測定するのみの意味ではなく、これから描くラインや、長さ目印を紙や物体に付する場合など、結果的に長さ目盛の読み取りを利用している場合も含む意味である。
【００３４】
第１の実施の形態として、図１は本発明の定規とそれに付した長さ目盛を示す平面図であり、図１（ａ）は、１５ｃｍまでの長さ目盛を付した定規の平面図（但し、長さ目盛は正確にメートル法規定の長さを表しているものではなく、縮小ないし拡大されている。）、図１（ｂ）は、長さ目盛の部分拡大図（図１（ａ）の１２ｃｍから１５ｃｍの部分を拡大）である。
【００３５】
図１に示した例は、定規における長さを測定するための縁２０の長手方向に対し、直角方向に当該縁２０から定規の内部方向に向かって形成される略細線状の目盛であって、前記目盛は長さを表示する所定の基準ピッチ（この場合は１ｍｍのピッチ）でほどこされており、前記基準ピッチの１０ピッチ単位毎（この場合は１ｃｍ毎）の目盛ラインが大単位目盛ライン２１であり、前記大単位目盛ライン２１、２１間の中央の目盛ラインが中間単位目盛ライン２２（この場合は大単位目盛ライン２１から５ｍｍの目盛ライン）であり、その他の前記基準ピッチで施された目盛ラインは小単位目盛ライン２３〜３０である。
そしてこの実施形態例においては、定規の縁２０から定規の内部方向に向うこれらの目盛ラインの長さ（以下、これを単に「目盛ラインの長さ」と略称することがある。）が大単位目盛ライン２１の長さ＞中間単位目盛ライン２２の長さ＞小単位目盛ライン２３〜３０の長さの関係になるよう設定されており、且つ、前記小単位目盛ラインの長さが前記大単位目盛ラインから一方方向に数えて目盛りラインの数で１番目の小単位目盛ライン２３＜２番目の小単位目盛ライン２４＜３番目の小単位目盛ライン２５＜４番目の小単位目盛ライン２６の長さの関係を有し、６〜９番目の小単位目盛ライン（２７、２８、２９、３０）の長さは中間単位目盛ラインを対称軸とした場合に１〜４番目の小単位目盛ラインと線対称の関係を有している。尚、本発明において、「大単位目盛ラインから一方方向に数えて目盛りラインの数で１番目の小単位目盛ライン、２番目の小単位目盛ライン・・・・・」等の１〜４番目、６〜９番目の小単位目盛ラインとは、定規における長さを測定するための縁２０を上側にした場合に大単位目盛ラインから本件では例えば右方向に数えるが、基礎となる大単位目盛ラインは数に参入せずその隣の目盛ラインよりすべての目盛ラインを順次１番目の目盛ライン、２番目の目盛ライン、３番目の目盛ライン、４番目の目盛ライン、５番目の目盛ライン（これが中間単位目盛ラインに相当）、６番目の目盛ライン、７番目の目盛ライン、８番目の目盛ライン、９番目の目盛ラインと数える。この場合、１〜４番目の目盛ラインと６〜９番目の目盛ラインは、目盛ラインの種類としては小単位目盛ラインに該当するので、「大単位目盛ラインから一方方向に数えて目盛りラインの数で１番目の目盛ライン・・・・４番目の目盛ライン、６番目の目盛ライン・・・・９番目の目盛ライン」と表す代わりに、１〜４番目の目盛ラインならびに６〜９番目の目盛ラインが小単位目盛ラインであることが直ちにわかるように、１〜４番目の小単位目盛ラインならびに６〜９番目の小単位目盛ラインと表現したものである。従って５番目の目盛ラインは上述のように中単位目盛ラインであり、５番目の小単位目盛ラインという表現は本件においては存在しない。
【００３６】
前記小単位目盛ラインの定規内部方向側の末端（これを以下「小単位目盛ラインの末端」と略称することあり。）同士をつなぐ直線が、前記１番目と２番目の小単位目盛ライン２３、２４間、前記３番目と４番目の小単位目盛ライン２５、２６間、前記６番目と７番目の小単位目盛ライン２７、２８間、前記８番目と９番目の小単位目盛ライン２９，３０間の末端同士をつなぐ直線ライン（それぞれ４０、４１、４２、４３）であり、  そして、前記小単位目盛ラインの末端同士をつなぐ直線ラインの太さを目盛ラインの太さよりも太くし、且つ中間単位目盛ライン２２を境にして、一方側（この例では符号４２、４３）の目盛ライン末端同士をつなぐ直線ラインの太さを他方側（この例では符号４０、４１）の目盛ライン末端同士をつなぐ直線ラインの太さよりより一層太くしている。
【００３７】
更に、本実施形態例では、中間単位目盛ライン２２の末端に、中間単位目盛ラインより太めの略点状のマーク４５（この場合形状は三角形状）がほどこされている。これにより、中間単位目盛ライン２２の位置がより明確になるので、測定対象物の測定する長さの末端がそれから１つ先の、又は１つ前の小単位目盛ラインなのかそれから２つ先の、又は２つ前の小単位目盛ラインなのか等の目盛ラインの見極めをより一層見極めやすくできる。略点状のマーク４５は、図示した三角形状に限定されるものではなく、４角形、菱形、星形、その他の多角形、円形、楕円形、ハート形など本発明の趣旨を逸脱しない限り任意である。また、中間単位目盛ラインより太めの略点状のマーク４５の位置は、この実施の形態では中間単位目盛ライン２２の末端に設けているより好ましい態様としているが、略点状のマーク４５の位置は、中間単位目盛ライン上の他の位置に設けてもよい。
【００３８】
この実施形態例の定規ならびに長さ目盛は、前記発明の効果〔１〕や〔２〕で述べた小単位目盛ラインまで見誤りにくく明確に長さが読み取りやすい長さ目盛ないし当該長さ目盛を具備した定規を提供できる。
【００３９】
なお、この実施形態においては、小単位目盛ラインの末端同士をつなぐ直線ラインの太さを目盛ラインの太さよりも太くしているが、小単位目盛ラインの末端同士をつなぐ直線ラインの太さは、目盛ラインの太さとほぼ同等でもよい。ただ、小単位目盛ラインの末端同士をつなぐ直線ラインの太さを目盛ラインの太さよりも太くすることが、より長さを正確に読み取りやすく好ましい。更には、その上で小単位目盛ラインの末端同士をつなぐ直線ライン同士の太さも隣接するものよりより太くしたり、本実施形態例のように、中間単位目盛ラインを境にして、一方側の目盛ライン末端同士をつなぐ直線ラインの太さを他方側の目盛ライン末端同士をつなぐ直線ラインの太さよりより一層太くすることは、長さの読み取りを一層読み取りやすくする上でより好ましい。特に限定するものではないが、小単位目盛ラインの末端同士をつなぐ直線ライン同士の太さを目盛ラインの太さより太くする場合には、目盛ラインの太さの５〜１２倍程度にすることが好ましい。目盛ラインの太さは、定規等に付する目盛の荒さによっても異なり、荒い目盛の付される定規等の場合には目盛ラインの太さは太めでもよく、細かい目盛りが付される定規等の場合には、あまりに太いと目盛りを正確に読み取りにくくなるので、一般的には細めの目盛ラインとするのが好ましいなど、目盛ラインの太さは、定規等に付する目盛の荒さによって適宜選定すればよく、特に限定するものではないが、およそ0.04ｍｍ〜0.１ｍｍ程度が好ましい。
【００４０】
尚、上記で説明した目盛ライン末端同士をつなぐ直線ラインの太さの関係は、他の実施形態も含めて小単位目盛ラインの末端同士、または、末端と末端近傍をつなぐ直線及び/または曲線に関しても同様に好ましく適用できる。
【００４１】
次に図２に、第２の実施形態の長さ目盛の部分拡大図を示す。定規の形状は特に限定するものでなく、一般的な形状なので、図示を省略するが、長さ目盛の態様が異なるだけで、代表例として、例えば図１（ａ）に示した定規を想定すればよい。以下のすべての実施形態例についても同様である。なお、定規としては三角定規などでもよい。要は長さ目盛が付されて有効に当該目盛が適用できる定規等であればよい。
【００４２】
図２に示した実施形態は、図１で示した実施形態が小単位目盛ライン末端同士をつなぐ直線ラインの太さを中間単位目盛ライン２２を境にして、一方側の目盛ライン末端同士をつなぐ直線ライン（図１の例では符号４２、４３）の太さを他方側の小単位目盛ライン末端同士をつなぐ直線ライン（図１の例では符号４０、４１）の太さをより太くしているのに対し、図２に示した実施形態は、小単位目盛ライン同士をつなぐ直線ライン（符号４０〜４３）の太さをすべて小単位目盛ライン（符号２３〜３０）の太さよりも若干太くしている（目盛ラインの太さの約５倍で図１の直線ライン４０、４１と同等で、図１の直線ライン４２、４３より細い）。その他の態様は、図１に示した態様と同様であるので、同一部分には同一の符号を付して重複説明を省略している。尚、以下の別の実施形態の説明においても、特に説明が必要な場合を除いて、同一部分には同一の符号を付して重複説明を省略している。
【００４３】
この実施形態例の定規ならびに長さ目盛は、前記発明の効果〔１〕や〔２〕で述べた小単位目盛ラインまで見誤りにくく明確に長さが読み取りやすい長さ目盛ないし当該長さ目盛を具備した定規が提供できる。
【００４４】
変形態様として図示していないが、小単位目盛ラインの末端同士をつなぐ直線ラインの太さは、前記１番目と２番目の小単位目盛ライン末端同士をつなぐ直線と３番目と４番目の小単位目盛ライン末端同士をつなぐ直線のいずれかを他方より太くし、前記６番目と７番目の小単位目盛ライン末端同士をつなぐ直線と８番目と９番目の小単位目盛ライン末端同士をつなぐ直線のいずれかを他方より太くするなどの場合も好ましい。また、上述したように、いずれの場合も、小単位目盛ラインの末端同士をつなぐ直線ラインの太さは目盛ラインの太さよりも太い方が好ましい。この点は、他の実施形態例についても同様に適用できる。また、中間単位目盛ラインの長さは、大単位目盛ラインならびに小単位目盛ラインの長さより短くしてもよい。この点も他の実施形態例についても同様に適用できる。このうち目盛ラインの長さが、大単位目盛ラインの長さ＞中間単位目盛ラインの長さ＞小単位目盛ラインの長さの関係になっている長さ目盛が他の場合に比べてより見やすいと言う点からより好ましい。
【００４５】
次に図３に、第３の実施形態の長さ目盛の部分拡大図を示す。図３に示した実施形態は、図１で示した長さ目盛の小単位目盛ラインの長さが前記大単位目盛ラインから一方方向に数えて目盛りラインの数で１番目の小単位目盛ライン（符号２３）の長さ＜２番目の小単位目盛ライン（符号２４）の長さ＜３番目の小単位目盛ライン（符号２５）の長さ＜４番目（符号２６）の小単位目盛ラインの長さの関係を有し、６〜９番目の小単位目盛ライン（符号２７〜３０）の長さは中間単位目盛ライン２２を介して前記１〜４番目の小単位目盛ラインの長さの関係の繰り返しである態様である。
【００４６】
この場合、前記小単位目盛ラインの末端同士をつなぐ直線ラインの太さは目盛ラインの太さよりも太く、且つ直線ライン（符号４０〜４３）の太さが６番目と７番目の小単位目盛ライン（２７、２８）の末端同士をつなぐ直線ライン４２ならびに８番目と９番目の小単位目盛ライン（２９、３０）の末端同士をつなぐ直線ライン４３は、１番目と２番目の小単位目盛ライン（２３、２４）の末端同士をつなぐ直線ライン４０ならびに３番目と４番目の小単位目盛ライン（２５、２６）の末端同士をつなぐ直線ライン４１より太いラインである。
【００４７】
本第３の実施形態においては、上記発明の効果の〔１〕項で述べたと、ほぼ同様の理由で、長さ測定の場合に、小単位目盛ラインまで見誤りにくく明確に長さが読み取りやすくできる。しかも、小単位目盛ライン間の定規等の内部方向側の末端同士を結ぶラインが、定規等の長さを測定するための縁を下にした状態でマクロ的に見た感じが中間単位目盛ラインを境にして２つの鋸歯状にきれいに見え、より小単位目盛ラインまで見誤りにくく明確にでき好ましい。
【００４８】
なお、変形態様として、前記小単位目盛ライン末端同士をつなぐ直線ラインの太さを、すべて前記小単位目盛ラインの太さと同等としたり、すべて前記小単位目盛ラインの太さより太くするか、または、本図３に示したように前記小単位目盛ライン末端同士をつなぐ直線ラインの太さを中間単位目盛ラインを境にして、一方側を目盛ラインの太さより太くし、他方側を前記一方側の小単位目盛ライン末端同士をつなぐ直線ラインの太さより細くするか（この場合、細い方の直線ラインの太さは目盛ラインの太さより太いことがより好ましい。）、または、前記１番目と２番目の小単位目盛ラインの末端同士をつなぐ直線と３番目と４番目の小単位目盛ラインの末端同士をつなぐ直線のいずれかを他方より太くし、前記６番目と７番目の小単位目盛ラインの末端同士をつなぐ直線と８番目と９番目の小単位目盛ラインの末端同士をつなぐ直線のいずれかを他方より太くした長さ目盛とすることもできる（この場合も、細い方の直線ラインの太さは目盛ラインの太さより太いことがより好ましい。）。これらの態様は他の実施形態例に対しても適用できる。通常、小単位目盛ライン末端同士をつなぐ直線ラインの太さは、目盛ラインの太さよりよく目立つ程度に太くしたものである態様がより好ましい。
【００４９】
また、この図３に示したような大単位目盛ラインから一方方向に数えて目盛りラインの数で１番目〜４番目の小単位目盛ラインの長さの関係を、中間単位目盛ラインを介して１〜４番目の関係の繰り返しとすることは、他の実施形態にも適用できる。
【００５０】
次に図４に、第４の実施形態の長さ目盛の部分拡大図を示す。図４に示した実施形態は、長さ目盛の小単位目盛ラインの長さが前記大単位目盛ラインから一方方向に数えて目盛りラインの数で１番目の小単位目盛ライン（符号２３）の長さ＞２番目の小単位目盛ライン（符号２４）の長さ＞３番目の小単位目盛ライン（符号２５）の長さ＞４番目（符号２６）の小単位目盛ラインの長さの関係を有し、６〜９番目の小単位目盛ライン（符号２７〜３０）の長さは中間単位目盛ラインを対称軸とした場合に１〜４番目と線対称の関係を有しており、図１の態様と異なり、中間単位目盛ライン２２の末端に、中間単位目盛ラインより太めの略点状のマーク４５が施されていないタイプである。但し、この中間単位目盛ラインより太めの略点状のマークが施されていてもよい。小単位目盛ラインの末端同士をつなぐ直線ラインの太さの関係は前記第１の実施の形態と同様である。
【００５１】
図４で説明した実施形態においては、上記発明の効果の〔１〕項で述べたと、ほぼ同様の理由で、長さ測定の場合に、小単位目盛ラインまで見誤りにくく明確に長さが読み取りやすくできる。しかも、小単位目盛ライン間の定規等の内部方向側の末端同士を結ぶ直線ラインが、定規等の長さを測定するための縁を下にした状態でマクロ的に見た感じが中間単位目盛ラインを境にしてＶ字状にきれいに見え、小単位目盛ラインまでより見誤りにくく明確に測定でき好ましい。更に小単位目盛ライン末端同士をつなぐ前記直線ラインの太さが、中間単位目盛ラインを境にして異なっており、見誤りを一層少なくでき好ましい。
【００５２】
次に図５に、第５の実施形態の長さ目盛の部分拡大図を示す。図５に示した実施形態は、図２に示した実施形態において、中間単位目盛ライン２２の末端に、中間単位目盛ラインより太めの略点状のマーク４５が施されていないタイプである。但し、この中間単位目盛ラインより太めの略点状のマーク４５が施されていてもよいことはもちろんである。その他の点は図２で示した第２の実施形態と同様である。
【００５３】
この第５の実施形態の長さ目盛は、上記発明の効果の〔１〕項で述べたと、ほぼ同様の理由で、長さ測定の場合に、小単位目盛ラインまで見誤りにくく明確に長さを読み取りやすくできる。しかも、小単位目盛ラインの定規等の内部方向側の末端同士を結ぶラインが、定規等の長さを測定するための縁を下にした状態でマクロ的に見た感じが中間単位目盛ラインを頂点にして山状にきれいに見え、より小単位目盛ラインまで見誤りにくく明確にでき好ましい。
【００５４】
次に図６に、第６の実施形態の長さ目盛の部分拡大図を示す。図６に示した実施形態は、目盛ラインの長さが大単位目盛ライン２１の長さ＞中間単位目盛ライン２２の長さ＞小単位目盛ライン２３〜３０の長さであって、且つ、前記小単位目盛ラインの長さが前記大単位目盛ラインから一方方向に数えて目盛りラインの数で１番目の小単位目盛ライン２３の長さ＜２番目の小単位目盛ライン２４の長さ＝３番目の小単位目盛ライン２５の長さ＜４番目の小単位目盛ライン２６の長さの関係を有しており、６〜９番目の小単位目盛ライン（２７〜３０）の長さは中間単位目盛ライン２２を対称軸とした場合に１〜４番目の小単位目盛ライン（２３〜２６）と線対称の関係となっている。
【００５５】
前記小単位目盛ライン間において小単位目盛ラインの定規の内部方向側の末端と末端近傍をつなぐ直線（以下これを単に「小単位目盛ラインの末端近傍間をつなぐ直線」と略称することがある。）が、前記１番目の小単位目盛ライン２３の末端より前記２番目の小単位目盛ライン２４に向かって垂直に形成されたライン５０であり、同様に前記３番目の小単位目盛ライン２５の末端より前記４番目の小単位目盛ライン２６に向かって垂直に形成されたライン５１であり、６〜９番目の前記小単位目盛ライン末端近傍間をつなぐ直線ライン５２と５３は、その太さを除いて、中間単位目盛ラインを対称軸とした場合に前記１〜４番目の小単位目盛ライン末端近傍間をつなぐ直線ラインと線対称の関係であり、  且つ、前記小単位目盛ライン末端近傍間をつなぐ直線ラインの太さがライン５０と５１は前記目盛ラインの太さよりも若干太くしており、直線ライン５２と５３は前記直線ライン５０と５１の太さより太くした長さ目盛である。
【００５６】
この第６の実施形態の態様によれば、上記発明の効果の〔１〕項で述べたと、ほぼ同様の理由で、長さ測定の場合に、小単位目盛ラインまで見誤りにくく明確に長さを読み取りやすくできる。しかも、小単位目盛ライン間の定規等の内部方向側の末端と末端近傍を結ぶ直線ラインで結ばれたブロックを構成するいずれか小単位目盛ラインの長さが長い方の小単位目盛ラインの定規等の内部方向側の末端が小単位目盛ライン間の前記末端と末端近傍をつなぐ直線よりも定規等の内部方向側にはみ出しているので、長さ測定対象物の長さが、前記１つのブロックのうちどちらの小単位目盛ラインの方に係る長さであるか、より読み取りやすくなる。しかも、２本の小単位目盛ラインからなるブロックを構成するいずれか少なくとも一方の小単位目盛ラインの長さが、隣接するブロックを構成するいずれか少なくとも一方の小単位目盛ラインの長さと異なるため、ブロック全体として見た場合に隣接するブロックと長さが異なるブロックのように見え、隣接するブロック同士の区別もしやすく、長さ目盛の読み取りをより読み取りやすくできる。更に、中間単位目盛ライン２２を境にして、ブロックの直線ライン５０、５１と５２、５３の太さが異なるので、長さ測定対象物の測定する長さの末端が中間単位目盛ラインを越えている方なのか、超えていない方なのか容易に判別でき好ましい。
【００５７】
次に図７に、第７の実施形態の長さ目盛の部分拡大図を示す。図７に示した実施形態は、図６で示した長さ目盛の小単位目盛ライン末端近傍間をつなぐ前記直線ライン５０〜５３の太さを上記態様の変形として、ライン５０と５１の太さをライン５１の方を太く他方を細く異なる太さにし、ライン５２と５３の太さもライン５２の方を太く他方を細く異なる太さにした長さ目盛である（但し、ライン５０、５３の太さは、この態様では、目盛ラインより若干太くしている）。
【００５８】
この第７の実施形態の態様によれば、上記発明の効果の〔１〕項で述べたと、ほぼ同様の理由で、長さ測定の場合に、小単位目盛ラインまで見誤りにくく明確に長さを読み取りやすくできる。しかも、小単位目盛ライン間の定規等の内部方向側の末端と末端近傍を結ぶラインで結ばれたブロックを構成するいずれか小単位目盛ラインの長さが長い方の小単位目盛ラインの定規等の内部方向側の末端が小単位目盛ライン間の前記末端と末端近傍をつなぐ直線よりも定規等の内部方向側にはみ出しているので、長さ測定対象物の長さが、前記１つのブロックのうちどちらの小単位目盛ラインの方に係る長さであるか、より読み取りやすくなる。しかも、２本の小単位目盛ラインからなるブロックを構成するいずれか少なくとも一方の小単位目盛ラインの長さが、隣接するブロックを構成するいずれか少なくとも一方の小単位目盛ラインの長さと異なるため、ブロック全体として見た場合に隣接するブロックと長さが異なるブロックのように見え、隣接するブロック同士の区別もしやすく、長さ目盛の読み取りをより読み取りやすくできる。更に、ライン５０と５１の太さをライン５１の方を太く他方を細く異なる太さにし、ライン５２と５３の太さもライン５２の方を太く他方を細く異なる太さにしてあるので、例えばメートル法で長さ測定対象物の測定対象の末端が、２ｍｍなのか３ｍｍなのかとか、７ｍｍなのか８ｍｍなのかの区別が一層容易になり好ましい。
【００５９】
次に図８に、第８の実施形態の長さ目盛の部分拡大図を示す。図８に示した実施形態は、長さ目盛の小単位目盛ライン末端近傍間をつなぐ前記直線ライン５０〜５３の太さをすべて図６の直線ライン５２、５３と同様に目盛ラインの太さよりかなり太く（目盛ラインの太さの約１１倍、およそ０．４５ｍｍ）したものである。この第８の実施形態の長さ目盛は、上記発明の効果の〔１〕項で述べたと、ほぼ同様の理由で、長さ測定の場合に、小単位目盛ラインまで見誤りにくく明確に長さを読み取りやすくできる。しかも、小単位目盛ラインの末端近傍間を結ぶラインが、太いので、小単位目盛ラインの末端近傍間を結ぶ太い直線ラインで結ばれたブロックを認識しやすく、しかも、小単位目盛ライン間の定規等の内部方向側の末端近傍間を結ぶ直線ラインで結ばれたブロックを構成するいずれか小単位目盛ラインの長さが長い方の小単位目盛ラインの定規等の内部方向側の末端が小単位目盛ライン間の前記末端近傍間をつなぐ直線よりも定規等の内部方向側にはみ出しているので、長さ測定対象物の長さが、前記１つのブロックのうちどちらの小単位目盛ラインの方に係る長さであるか、より読み取りやすくなる。しかも、２本の小単位目盛ラインからなるブロックを構成するいずれか少なくとも一方の小単位目盛ラインの長さが、隣接するブロックを構成するいずれか少なくとも一方の小単位目盛ラインの長さと異なるため、ブロック全体として見た場合に隣接するブロックと長さが異なるブロックのように見え、隣接するブロック同士の区別もしやすく、長さ目盛の読み取りをより読み取りやすくできる。
【００６０】
次に図９に、第９の実施形態の長さ目盛の部分拡大図を示す。図９に示した実施形態は、図８で示した長さ目盛の小単位目盛ライン末端近傍間をつなぐ前記直線ライン５０〜５３の太さを図８で示した直線ライン５０〜５３よりも細く（但し目盛ラインの太さよりも若干太い）したものである。
【００６１】
この第９の実施形態の長さ目盛は、上記発明の効果の〔１〕項で述べたと、ほぼ同様の理由で、長さ測定の場合に、小単位目盛ラインまで見誤りにくく明確に長さが読み取りやすくできる。しかも、小単位目盛ラインの末端近傍間を結ぶラインで結ばれたブロックを構成するいずれか小単位目盛ラインの長さが長い方の小単位目盛ラインの定規等の内部方向側の末端が小単位目盛ライン間の前記末端と末端近傍をつなぐ直線よりも定規等の内部方向側にはみ出しているので、長さ測定対象物の長さが、前記１つのブロックのうちどちらの小単位目盛ラインの方に係る長さであるか、より読み取りやすくなる。しかも、２本の小単位目盛ラインからなるブロックを構成するいずれか少なくとも一方の小単位目盛ラインの長さが、隣接するブロックを構成するいずれか少なくとも一方の小単位目盛ラインの長さと異なるため、ブロック全体として見た場合に隣接するブロックと長さが異なるブロックのように見え、隣接するブロック同士の区別もしやすく、長さ目盛の読み取りをより読み取りやすくできる。
【００６２】
次に図１０に、第１０の実施形態の長さ目盛の部分拡大図を示す。図１０に示した実施形態は、定規の内部方向に向う目盛ラインの長さが大単位目盛ライン２１の長さ＞中間単位目盛ライン２２の長さ＞小単位目盛ライン２３〜３０の長さの関係を有し、且つ、前記小単位目盛ラインの長さが前記大単位目盛ラインから一方方向に数えて目盛りラインの数で２番目の小単位目盛ライン２４の長さ＜１番目の小単位目盛ライン２３の長さ＝４番目の小単位目盛ライン２６の長さ＜３番目の小単位目盛ライン２５の長さの関係を有しており、６〜９番目の小単位目盛ライン２７〜３０の長さは中間単位目盛ライン２２を対称軸とした場合に１〜４番目の小単位目盛ラインと線対称の関係を有している。
【００６３】
前記小単位目盛ラインの末端近傍間をつなぐ直線が、前記２番目の小単位目盛ライン２４の末端より前記１番目の小単位目盛ライン２３に向かって垂直に形成された直線ライン５０であり、同様に前記４番目の小単位目盛ライン２６の末端より前記３番目の小単位目盛ライン２５に向かって垂直に形成された直線ライン５１であり、６〜９番目の前記小単位目盛ラインの末端と末端近傍間をつなぐ直線ラインは、中間単位目盛ライン２２を対称軸とした場合に前記１〜４番目の小単位目盛ラインと線対称の関係であり、且つ、前記小単位目盛ラインの末端と末端近傍間をつなぐ直線ライン５０、５１の太さは目盛ラインの太さより若干太い太さであり、前記小単位目盛ラインの末端と末端近傍間をつなぐ直線ライン５２、５３の太さは、前記直線ライン５０、５１の太さより太くした長さ目盛である。
【００６４】
この第１０の実施形態の態様によれば、上記発明の効果の〔１〕項で述べたと、ほぼ同様の理由で、長さ測定の場合に、小単位目盛ラインまで見誤りにくく明確に長さを読み取りやすくできる。しかも、小単位目盛ライン間の末端近傍間を結ぶラインで結ばれたブロックを構成するいずれか小単位目盛ラインの長さが長い方の小単位目盛ラインの定規等の内部方向側の末端が小単位目盛ライン間の前記末端近傍間をつなぐ直線よりも定規等の内部方向側にはみ出しているので、長さ測定対象物の長さが、前記１つのブロックのうちどちらの小単位目盛ラインの方に係る長さであるか、より読み取りやすくなる。しかも、２本の小単位目盛ラインからなるブロックを構成するいずれか少なくとも一方の小単位目盛ラインの長さが、隣接するブロックを構成するいずれか少なくとも一方の小単位目盛ラインの長さと異なるため、ブロック全体として見た場合に隣接するブロックと長さが異なるブロックのように見え、隣接するブロック同士の区別もしやすく、長さ目盛の読み取りをより読み取りやすくできる。更に、中間単位目盛ライン２２を境にして、ブロックの直線ライン５０、５１と５２、５３の太さが異なるので、長さ測定対象物の想定する長さの末端が中間単位目盛ラインを越えている方なのか、超えていない方なのか容易に判別でき好ましい。
【００６５】
次に図１１に、第１１の実施形態の長さ目盛の部分拡大図を示す。図１１に示した実施形態は、図１０で示した長さ目盛の小単位目盛ライン末端近傍間をつなぐ前記直線ライン５０〜５３の太さを上記態様の変形として、ライン５０と５１の太さをライン５１の方を太く他方を細く異なる太さにし、ライン５２と５３の太さもライン５２の方を太く他方を細く異なる太さにした長さ目盛である（但し、ライン５０、５３の太さは、この態様では、目盛ラインより若干太くしている）。
【００６６】
この第１１の実施形態の態様によれば、上記発明の効果の〔１〕項で述べたと、ほぼ同様の理由で、長さ測定の場合に、小単位目盛ラインまで見誤りにくく明確に長さを読み取りやすくできる。しかも、小単位目盛ライン間の定規等の内部方向側の末端と末端近傍を結ぶラインで結ばれたブロックを構成するいずれか小単位目盛ラインが長い方の小単位目盛ラインの定規等の内部方向側の末端が小単位目盛ライン間の前記末端近傍間をつなぐ直線よりも定規等の内部方向側にはみ出しているので、長さ測定対象物の長さが、前記１つのブロックのうちどちらの小単位目盛ラインの方に係る長さであるか、より読み取りやすくなる。しかも、２本の小単位目盛ラインからなるブロックを構成するいずれか少なくとも一方の小単位目盛ラインの長さが、隣接するブロックを構成するいずれか少なくとも一方の小単位目盛ラインの長さと異なるため、ブロック全体として見た場合に隣接するブロックと長さが異なるブロックのように見え、隣接するブロック同士の区別もしやすく、長さ目盛の読み取りをより読み取りやすくできる。更に、ライン５０と５１の太さをライン５１の方を太く他方を細く異なる太さにし、ライン５２と５３の太さもライン５２の方を太く他方を細く異なる太さにしてあるので、例えばメートル法で長さ測定対象物の測定対象の末端が、２ｍｍなのか３ｍｍなのかとか、７ｍｍなのか８ｍｍなのかの区別が一層容易になり好ましい。
【００６７】
次に図１２に、第１２の実施形態の長さ目盛の部分拡大図を示す。図１２に示した実施形態は、定規内部方向に向う目盛ラインの長さが大単位目盛ライン２１の長さ＞中間単位目盛ライン２２の長さ＞小単位目盛ライン２３〜３０の長さの関係を有し、且つ、前記小単位目盛ラインの長さが前記大単位目盛ライン２１から一方方向に数えて目盛りラインの数で１番目の小単位目盛ライン２３の長さ＞２番目の小単位目盛ライン２４の長さ＝３番目の小単位目盛ライン２５の長さ＞４番目の小単位目盛ライン２６の長さの関係を有しており、６〜９番目の長さは中間単位目盛ライン２２を対称軸とした場合に１〜４番目の小単位目盛ラインと線対称の関係を有しており、前記小単位目盛ラインの末端近傍間をつなぐ直線が、前記２番目の目盛ライン２４の末端より前記１番目の目盛ライン２３に向かって垂直に形成された直線ライン５０であり、同様に前記４番目の目盛ライン２６の末端より前記３番目の目盛ライン２５に向かって垂直に形成された直線ライン５１であり、６〜９番目の前記小単位目盛ラインの末端近傍間をつなぐ直線は、その太さを除いて中間単位目盛ライン２２を対称軸とした場合に前記１〜４番目と線対称の関係であり、且つ、前記小単位目盛ラインの末端近傍間をつなぐ直線ラインの太さがライン５０と５１は前記目盛ラインの太さより若干太く、ライン５２と５３は前記直線ライン５０と５１の太さより太くした長さ目盛である。
【００６８】
この第１２の実施形態の態様によれば、上記第１０の実施形態で述べた発明の効果とほぼ同様の効果が達成される。
【００６９】
次に図１３に、第１３の実施形態の長さ目盛の部分拡大図を示す。図１３に示した実施形態は、図１２で示した第１２の実施形態の長さ目盛の直線ライン５２と５３の太さを直線ライン５０と５１の太さにし、２番目、４番目、６番目及び８番目の小単位目盛ライン２４、２６、２７、２９の定規内部方向側の末端に近接して、それぞれ、２、４、６、８の数字が表示されている長さ目盛である。
【００７０】
この第１３の実施形態の態様によれば、上記第１２の実施形態で述べた発明の効果とほぼ同様の効果が達成されるとともに、長さ目盛の２番目、４番目、６番目及び８番目の小単位目盛ライン２４、２６、２７、２９の末端に近接して、２、４、６、８の数字が表示されているので、より容易に長さ測定対象物の長さを同定できる。
【００７１】
尚このように小単位目盛ライン末端に近接して小単位目盛の数値を表示することは、他の実施形態に適用することも可能である。
【００７２】
次に図１４に、第１４の実施形態の長さ目盛の部分拡大図を示す。図１４に示した実施形態は、図９で示した第９の実施形態の長さ目盛の１番目、３番目、７番目及び９番目の小単位目盛ライン２３、２５、２８、３０の定規内部方向側の末端に近接して、ドットが付されている長さ目盛である。
【００７３】
この第１４の実施形態の態様によれば、上記第９の実施形態で述べた発明の効果とほぼ同様の効果が達成されるとともに、長さ目盛の１番目、３番目、７番目及び９番目の小単位目盛ライン２３、２５、２８、３０の末端に近接して、ドットが表示されているので、より容易に長さ測定対象物の長さを同定しやすくできる。
【００７４】
尚このように小単位目盛ライン末端に近接してドットを表示することは、他の実施形態に適用することも可能である。
【００７５】
次に図１５に、第１５の実施形態の長さ目盛の部分拡大図を示す。図１５（ｂ）は、図１５（ａ）の、ｃで示した部分の更なる拡大図である。図１５に示した実施形態は、図５で示した第５の実施形態の小単位目盛ラインの末端同士を結ぶライン４０〜４３を、直線でなく図１５（ｂ）からも明らかなように直線部分６０と曲線部分６１とからなるライン７０〜７３としたものである（但し、ライン７０〜７３の太さは、この態様では、目盛ラインより若干太くしている）。尚、このうち小単位目盛ラインの末端同士を結ぶライン７０と７１は、図１５（ｂ）と左右が反転した線対称になる。これが、請求項１で言う「小単位目盛ライン間それぞれに前記各ラインの定規、スケールまたはメジャー内部方向側の末端同士、または、末端と末端近傍をつなぐ直線及び/または曲線」の「直線及び/または曲線」という表現の「直線及び曲線」である場合の例である。すなわち直線と曲線が連なってできる直線と曲線の合成ラインである。
【００７６】
この第１５の実施形態の長さ目盛も第９の実施形態で述べた効果とほぼ同様の効果が達成できる。なお、この例では、小単位目盛ラインの末端近傍間を結ぶライン７０〜７３を直線部分６０と曲線部分６１とからなるラインとしたものであるが、このラインを、すべて曲線（円弧状など）としてもよいし、直線２本をつなぎ合わせる折れ線としてもよい。
【００７７】
以上述べた実施の形態の中では、図１に示した第１の実施の形態ならびに図６に示した第６の実施の形態の長さ目盛ないしそれを具備した定規等が、長さ目盛の読み取りがより読み取りやすいという観点から特に好ましい態様である。
【産業上の利用可能性】
【００７８】
本発明の長さ目盛及び当該長さ目盛を有する定規、スケールまたはメジャーは、長さ測定に有用な長さ目盛であり、この長さ目盛は定規、スケールまたはメジャーに付されて、長さ測定具として優れた長さ読み取り機能を発揮できる定規、スケールまたはメジャーを提供でき、各種産業に有効に利用できる。
【符号の説明】
【００７９】
２０  定規における長さを測定するための縁
２１  大単位目盛ライン
２２  中間単位目盛ライン
２３  １番目の小単位目盛ライン
２４  ２番目の小単位目盛ライン
２５  ３番目の小単位目盛ライン
２６  ４番目の小単位目盛ライン
２７  ６番目の小単位目盛ライン
２８  ７番目の小単位目盛ライン
２９  ８番目の小単位目盛ライン
３０  ９番目の小単位目盛ライン
４０、４１、４２、４３  小単位目盛ラインの末端同士間をつなぐ直線ライン
４５  略点状のマーク
５０、５１、５２、５３  小単位目盛ラインの定規の内部方向側の末端と末端近傍をつなぐ直線
６０  小単位目盛ラインの末端近傍間を結ぶラインの直線部分
６１  小単位目盛ラインの末端近傍間を結ぶラインの曲線部分
７０、７１、７２、７３  小単位目盛ラインの末端同士を結ぶ直線及び曲線ライン
【図１】
2017198597.tif 000003
【図２】
2017198597.tif 000004
【図３】
2017198597.tif 000005
【図４】
2017198597.tif 000006
【図５】
2017198597.tif 000007
【図６】
2017198597.tif 000008
【図７】
2017198597.tif 000009
【図８】
2017198597.tif 000010
【図９】
2017198597.tif 000011
【図１０】
2017198597.tif 000012
【図１１】
2017198597.tif 000013
【図１２】
2017198597.tif 000014
【図１３】
2017198597.tif 000015
【図１４】
2017198597.tif 000016
【図１５】
2017198597.tif 000017